(57)【要約】【課題】泳動槽と電力供給用の供給体とを一体化できる電気泳動装置において、泳動槽と供給体との間に手指が入る可能性を低減する技術を提供する。【解決手段】電気泳動装置１０において、泳動槽１２は、上方に開口２２する。蓋体１６は、泳動槽１２の開口２２を閉じる。供給体１４は、泳動槽１２に電力を供給する。端子は、泳動槽１２は、泳動槽１２の外側の端子形成面において突出して設けられる。供給体１４は、端子を挿脱可能な受け口が設けられた受け口形成部を有する。泳動槽１２および供給体１４は、端子を受け口に挿入して電気的に接続された連結状態をとる。蓋本体部は、泳動槽１２の開口２２を覆う。一対の側壁部は、蓋本体部の縁から垂下し、泳動槽１２の端子形成面を挟んで対向する。一対の側壁部は、連結状態において、泳動槽１２側から供給体１４側に向かって受け口形成部の両側辺の位置より供給体１４側に張り出す。【選択図】図１
2016080512.tif 000002
【特許請求の範囲】
【請求項１】
上方に開口する泳動槽と、
前記泳動槽の開口を閉じる蓋体と、
前記泳動槽に電力を供給する供給体と、を備え、
前記泳動槽は、前記泳動槽の外側の端子形成面において突出して設けられた端子を有し、
前記供給体は、前記端子を挿脱可能な受け口が設けられた受け口形成部を有し、
前記泳動槽および前記供給体は、前記端子を前記受け口に挿入して電気的に接続された連結状態をとり、
前記蓋体は、
前記泳動槽の開口を覆う蓋本体部と、
前記蓋本体部の縁から垂下し、前記泳動槽の前記端子形成面を挟んで対向する一対の側壁部と、を有し、
一対の前記側壁部は、前記連結状態において、前記泳動槽側から前記供給体側に向かって前記受け口形成部の両側辺の位置より前記供給体側に張り出すことを特徴とする電気泳動装置。
【請求項２】
前記蓋本体部は、前記連結状態において、前記泳動槽側から前記供給体側に向かって前記受け口形成部の上辺の位置より前記供給体側に張り出すことを特徴とする請求項１に記載の電気泳動装置。
【請求項３】
前記泳動槽は、前記端子の少なくとも根元を支持するように前記端子形成面に突出して形成された支持部をさらに有することを特徴とする請求項１または２に記載の電気泳動装置。
【請求項４】
前記供給体は、前記受け口形成部に設けられる第１スイッチを有し、
前記第１スイッチが前記泳動槽との接触によりオン状態にならなければ、前記供給体が前記泳動槽に電力を供給しないことを特徴とする請求項１から３のいずれかに記載の電気泳動装置。
【請求項５】
前記供給体は、前記受け口形成部の側面に設けられる第２スイッチを有し、
前記第２スイッチが前記蓋体との接触によりオン状態にならなければ、前記供給体が前記泳動槽に電力を供給しないことを特徴とする請求項１から４のいずれかに記載の電気泳動装置。
【請求項６】
前記泳動槽は、
前記端子形成面の上端から張り出すように形成されたフランジ部と、
前記フランジ部の下面に凸状または凹状に形成された係合部と、を有し、
前記供給体は、前記受け口形成部の上面に凹状または凸状に形成された被係合部を有し、
前記係合部および前記被係合部は、前記連結状態において係合して、前記泳動槽と前記供給体が水平方向に離れることを制限することを特徴とする請求項１から５のいずれかに記載の電気泳動装置。
【発明の詳細な説明】
【技術分野】
【０００１】
本発明は、試料を分析するための電気泳動装置に関する。
【背景技術】
【０００２】
電気泳動装置は、電気泳動法を用いて核酸やタンパク質を分析するために使用される。例えばアガロース電気泳動法では、マイナスの電荷を帯びた核酸が電場に置かれると、アガロースゲルの網目構造内をプラス極側に移動する。長いＤＮＡ断片は網目構造内をゆっくりと、引っかかりながら動くのに対して、短いＤＮＡ断片はより速く、あまり引っかからずに動くことから、ＤＮＡ断片を長さによって分離することが可能である。
【０００３】
特許文献１に開示される電気泳動装置は、緩衝液および試料を入れる泳動槽と、泳動槽の開口を閉じる蓋部と、泳動槽に電力を供給する電源部とを備える。泳動槽の外壁に形成された凸状プラグを電源部の外壁に形成されたソケットに挿入することで、泳動槽および電源部が電気的に接続しつつ、結合される。
【０００４】
特許文献１の蓋部は辺縁から垂下する壁部を有し、蓋部の壁部は泳動槽の開口を閉じた状態で泳動槽と電源部の隙間に入り込む。泳動槽と電源部の結合は、蓋部を開く回転動作で蓋部の辺縁が電源部を泳動槽から離れる方向に押し出し、外れる。
【先行技術文献】
【特許文献】
【０００５】
【特許文献１】特開２００５−３０９５１号公報
【発明の概要】
【発明が解決しようとする課題】
【０００６】
特許文献１に開示される電気泳動装置は、泳動槽と電源部が一体に結合されるが、泳動槽と電源部に隙間ができるため、その隙間に手指やネックレスなど身につけた物が入り込む恐れがある。
【０００７】
本発明はこのような課題に鑑みてなされたものであり、その目的は、泳動槽と電力供給用の供給体とを一体化できる電気泳動装置において、泳動槽と供給体との間に手指等が入る可能性を低減する技術を提供することにある。
【課題を解決するための手段】
【０００８】
上記課題を解決するために、本発明のある態様の電気泳動装置は、上方に開口する泳動槽と、泳動槽の開口を閉じる蓋体と、泳動槽に電力を供給する供給体と、を備える。泳動槽は、泳動槽の外側の端子形成面において突出して設けられた端子を有する。供給体は、端子を挿脱可能な受け口が設けられた受け口形成部を有する。泳動槽および供給体は、端子を受け口に挿入して電気的に接続された連結状態をとり、蓋体は、泳動槽の開口を覆う蓋本体部と、蓋本体部の縁から垂下し、泳動槽の端子形成面を挟んで対向する一対の側壁部と、を有する。一対の側壁部は、連結状態において、泳動槽側から供給体側に向かって受け口形成部の両側辺の位置より供給体側に張り出す。
【発明の効果】
【０００９】
本発明によれば、泳動槽と電力供給用の供給体とを一体化できる電気泳動装置において、泳動槽と供給体との間に手指が入る可能性を低減する技術を提供できる。
【図面の簡単な説明】
【００１０】
【図１】実施形態に係る電気泳動装置を説明するための図である。
【図２】泳動槽を説明するための図である。
【図３】供給体を説明するための図であり、供給体の受け口形成面をみた斜視図である。
【図４】蓋体を説明するための図であり、蓋体を上方からみた斜視図である。
【図５】泳動槽および供給体が接続した接続状態を説明するための図である。
【図６】連結状態の電気泳動装置を説明するための図である。
【図７】蓋体により泳動槽の開口を閉じた状態を説明するための図であり、泳動槽および蓋体の前方側を斜視図で示す。
【図８】電気泳動装置の泳動槽と供給体の連結を外す方法を説明するための図である。
【図９】供給体の部分拡大図である。
【図１０】泳動槽の部分拡大図である。
【図１１】電極線カバーを説明するための図であり、泳動槽の部分拡大図である。
【図１２】図１２（ａ）および図１２（ｂ）は、電極線カバーの斜視図である。
【発明を実施するための形態】
【００１１】
図１は、実施形態に係る電気泳動装置１０を説明するための図である。図１（ａ）は電気泳動装置１０の斜視図であり、図１（ｂ）は電気泳動装置１０から蓋体１６を省いた斜視図である。
【００１２】
電気泳動装置１０は、核酸やタンパク質を分析するために用いられる。図１（ａ）に示すように、電気泳動装置１０は、泳動槽１２と、供給体１４と、蓋体１６と、不図示の電源アダプターとを備える。
【００１３】
図１（ｂ）に示すように、上方に開口する泳動槽１２は緩衝液を入れる容器となる。泳動槽１２内にはアガロースゲルなどの担体を試料として載置する台座部２６が形成され、緩衝液に浸される。泳動槽１２の両側面に形成された電極線支持部３０により電極が配線される。供給体１４は、泳動槽１２の電極に電力を供給する。蓋体１６は、泳動槽１２の開口２２を閉じて、電圧印加中の緩衝液との接触を防ぎ、感電を防止する。また、蓋体１６に形成された複数の格子孔７２は、加熱された緩衝液の蒸気を逃がす。
【００１４】
図１（ａ）に示すように、電気泳動装置１０の泳動槽１２と、供給体１４と、蓋体１６とは、１ユニット化されている。泳動槽１２、供給体１４および蓋体１６は、それぞれ必要に応じてユニット状態から取り外し可能になっている。
【００１５】
例えば、泳動槽１２に緩衝液を入れる際、実験途中の泳動槽１２内の様子を確認する際に、図１（ｂ）に示すように蓋体１６を泳動槽１２から取り外す。実験途中または実験後に、紫外線をあてて泳動槽１２内の試料の状態を確認する際、泳動槽１２と供給体１４の連結を外し、泳動槽１２を紫外線照射装置に移動させる。
【００１６】
供給体１４は背面に電源入力部４４および電源スイッチ４６を有する。供給体１４は、コンセントに繋がれた電源アダプターを供給体１４の電源入力部４４に差し込んで通電され、供給体１４の電源スイッチ４６をオン状態にすることで駆動する。電源スイッチ４６をオフ状態にすると、供給体１４は駆動しない。
【００１７】
ユーザは、図１（ａ）に示す１ユニット状態の電気泳動装置１０に対して、電源スイッチ４６をオン状態にし、操作パネル４０に設けられた複数のボタン（不図示）を操作して電気泳動装置１０を使用する。供給体１４は電圧を複数段階に設定する出力電圧設定機能や、印加時間を設定するタイマー機能を有する。電気泳動装置１０は、ユーザが手指を供給体１４の取っ手４２の下方に差し入れて供給体１４を把持することで片手で持ち上げられるように構成されている。なお、電気泳動装置１０の各部材について、新たな図面を参照して詳細に説明する。
【００１８】
図２は、泳動槽１２を説明するための図である。図２（ａ）は泳動槽１２の斜視図であり、図２（ｂ）は泳動槽１２の平面図である。ここで各図面に示される同一または同等の構成要素、部材には、同一の符号を付するものとし、適宜重複した説明は省略する。
【００１９】
泳動槽１２は、槽本体部２０と、開口２２と、第１端子２４ａおよび第２端子２４ｂ（これらを区別しない場合「端子２４」という）と、台座部２６と、第１電極部２８ａおよび第２電極部２８ｂ（これらを区別しない場合「電極部２８」という）と、電極線支持部３０と、電極線カバー３２と、支持部３４と、フランジ部３６と、張出部３８と、を備える。ここで、図２（ａ）に示す泳動槽１２の端子２４が形成された端子形成面２０ａを前方とし、その逆側の把持面２０ｃを後方として説明する。
【００２０】
槽本体部２０は、緩衝液や試料を入れるため、有底四角筒状に形成されて上方に開口する。槽本体部２０は、矩形状の底部２０ｄと、底部２０ｄの前辺から立設する端子形成面２０ａ、底部２０ｄの後辺から立設する把持面２０ｃ、底部２０ｄの両側辺から立設する側面２０ｂを有する。槽本体部２０は絶縁性の樹脂材料で形成され、紫外線を透過する透明な材料で形成される。槽本体部２０の開口２２の縁には外側に張り出すフランジ部３６が形成される。
【００２１】
槽本体部２０内には、底部２０ｄの最も低い位置より高い位置に台座部２６が形成される。矩形状の台座部２６にはトレイに載せた試料が置かれる。台座部２６の各辺には載置されたトレイおよび試料が移動しないように突状に延びる縁ガイド部２６ａが形成される。また、台座部２６の中央には前後方向に突状に延びる中央ガイド部２６ｂが形成される。中央ガイド部２６ｂにより小さいサイズのトレイおよび試料を位置ずれしないように載置できる。槽本体部２０の内側の把持面２０ｃには緩衝液の分量の目安となる溶液用ライン２０ｅが形成されている。
【００２２】
第１端子２４ａおよび第２端子２４ｂは、供給体１４に電気的に接続するためのプラグとして機能し、第１端子２４ａは陽極に接続され、第２端子２４ｂは陰極に接続される。第１端子２４ａおよび第２端子２４ｂは、左右に離間して設けられ、平板状の金属板を平行に設けられたＡ型プラグであって、泳動槽１２の外側の端子形成面２０ａから突出して設けられる。端子２４の先端は角を取った円弧形状に形成される。
【００２３】
端子２４の根元には槽本体部２０の端子形成面２０ａから突出する支持部３４が形成される。支持部３４は、端子２４の少なくとも根元を支持するように、端子２４の根元を囲んで形成される。支持部３４は絶縁材料で形成され、連結状態の泳動槽１２および供給体１４において、ユーザによる端子２４への接触の可能性を低減する。また、支持部３４により薄い壁面に支持される端子２４の耐荷重性を向上できる。支持部３４の端子形成面２０ａからの突出高さは、端子２４の端子形成面２０ａからの突出高さの４分の１以上であることが好ましい。
【００２４】
第１電極部２８ａは、第１端子２４ａに接続される導線であり、第２電極部２８ｂは、第２端子２４ｂに接続される導線である。電極部２８は、例えば白金や金による導線である。第１電極部２８ａは一方の側面２０ｂに沿って前後方向に延在し、第２電極部２８ｂは他方の側面２０ｂに沿って前後方向に延在する。槽本体部２０に電解質の緩衝液を入れることで第１電極部２８ａおよび第２電極部２８ｂが通電可能となる。
【００２５】
槽本体部２０の内側の側面２０ｂに沿って電極線支持部３０がそれぞれ形成され、電極部２８を支持する。電極線カバー３２は、絶縁材料で形成され、電極部２８と、電極部２８および端子２４の接続部分を覆って露出を防ぐ。電極線カバー３２はフランジ部３６に固定される。
【００２６】
電極線カバー３２は下面に凸状に形成された係合部３２ａを有する。係合部３２ａは端子形成面２０ａより前方に張り出した位置に形成される。張出部３８は、端子形成面２０ａの下端から前方に張り出すように形成される。張出部３８は、平板状に形成され、連結状態の供給体１４の下側に入り込み、供給体１４を把持して電気泳動装置１０を持ち上げた際に泳動槽１２を支持する。
【００２７】
一対の電極部２８に応じて一対の端子２４を左右にそれぞれ設けることで、電極部２８の導線の長さを短くでき、コストを抑えることができる。電極部２８の長さを短くするため、端子２４は、端子形成面２０ａの側辺近傍にそれぞれ設けられる。
【００２８】
図３は、供給体１４を説明するための図であり、供給体１４の受け口形成面５４をみた斜視図を示す。供給体１４は、泳動槽１２の電極部２８に電力を供給するための装置であり、受け口５０を形成する連結用段部４８と、本体部４３とを有する。連結用段部４８は、受け口５０を形成するための受け口形成部として機能する。
【００２９】
本体部４３は、箱状に設けられ、泳動槽１２に供給する電圧や操作パネル４０の表示部を制御する制御基板、電源入力部４４などを収容する。連結用段部４８は、供給体１４の前面４３ａから直方体状に張り出す。連結用段部４８は、受け口形成面５４と上面４８ａと側面４８ｂとを有する。上面４８ａおよび側面４８ｂは前面４３ａから突出して段部を形成する。
【００３０】
なお、連結用段部４８の上面４８ａは、操作パネル４０より一段低く形成されるが、この態様に限られず、本体部４３の操作パネル４０と同じ高さに形成されてよい。また、連結用段部４８の側面４８ｂは、本体部４３の側面４１より一段凹んで形成されるが、連結用段部４８の側面４８ｂと本体部４３の側面４１が、連なって平坦に形成されてよい。つまり、受け口形成部に段部を設ける態様に限定されない。
【００３１】
受け口５０は、受け口形成面５４に孔状に形成され、泳動槽１２の端子２４を受け入れるソケットとして機能する。受け口５０は、一対の端子２４の位置に応じて受け口形成面５４の左右の側辺５４ａ近傍にそれぞれ設けられる。受け口５０は、端子２４の上下幅より長くなるように、上下方向に長手状に形成される。受け口５０を大きくすることで、端子２４の受け口５０への挿入が容易になり、供給体１４を傾斜させた状態で端子２４を受け口５０に挿入できる。
【００３２】
受け口５０の周りには、受け口形成面５４を窪ませた窪み部５２が形成される。窪み部５２には支持部３４の先端が入りこんで当接または近接する。被係合部６２は、連結用段部４８の上面４８ａに凹状に形成され、泳動槽１２の係合部３２ａに係合される。
【００３３】
第１スイッチ５６は、受け口形成面５４に突出して設けられる。第１スイッチ５６は、押しボタン式であり、バネにより突出する方向に付勢される。第１スイッチ５６が泳動槽１２との接触により所定の深さまで押されていなければ、オン状態とならずオフ状態のまま、供給体１４が泳動槽１２に電力を供給しない。第１スイッチ５６により、泳動槽１２と供給体１４の接続状態を確認できる。
【００３４】
第２スイッチ５８は、連結用段部４８の側面４８ｂに形成されたスイッチ孔６０から突出して設けられる。スイッチ孔６０は上下方向に長手状に形成され、第２スイッチ５８を上下方向に移動可能にする。第２スイッチ５８は、上方に付勢される。第２スイッチ５８は、下方に所定距離以上移動すれば、オン状態となる。第２スイッチ５８が蓋体１６との接触によりオン状態にならなければ、第２スイッチ５８が供給体が泳動槽１２に電力を供給しない。これにより、接続状態の泳動槽１２および供給体１４において、蓋体１６が泳動槽１２の開口２２を閉じたことを確認でき、電気泳動装置１０が連結状態にあることを確認できる。
【００３５】
供給体１４は、第１スイッチ５６および第２スイッチ５８がともにオン状態となれば、泳動槽１２に電力を供給可能となり、第１スイッチ５６および第２スイッチ５８がともにオン状態でなければ、泳動槽１２に電力を供給しない。第１スイッチ５６を受け口形成面５４の一方の側辺５４ａ近傍に形成し、第２スイッチ５８を他方の側辺５４ａ近傍に形成することで、それぞれのスイッチを左右に離間して設けることができ、左右に離間して設けられた端子２４および受け口５０の両方の接続を確認できる。つまり、第２端子２４ｂが受け口５０に十分に挿入されて、第１端子２４ａの受け口５０への挿入が不十分である場合、第１スイッチ５６がオン状態とならないように構成される。また、蓋体１６で開口２２を閉じた際に、第１端子２４ａが受け口５０に十分に挿入されて、第２端子２４ｂの受け口５０への挿入が不十分である場合、第２スイッチ５８がオン状態にならない構造をとっている。
【００３６】
本体部４３の側面４１の中途に電源を冷やすための冷却用孔６４が形成される。本体部４３および連結用段部４８の土台となる台部６６は、左右に離間して設けられる。これにより、連結状態において、泳動槽１２の張出部３８が一対の台部６６の間に入り込む。
【００３７】
図４は、蓋体１６を説明するための図であり、蓋体１６を上方からみた斜視図である。蓋体１６は、泳動槽１２内の通電中の緩衝液との接触を防ぐため、泳動槽１２の開口２２を閉じる。蓋体１６は、絶縁材料で形成され、紫外線を透過する透明な材料で形成されてよい。
【００３８】
蓋体１６は、蓋本体部７０と、側壁部７４と、前側壁部７６とを有する。蓋本体部７０は、泳動槽１２の開口２２より大きく形成され、開口２２を覆う。蓋本体部７０には蒸発する緩衝液で蓋本体部７０を曇らせないように、複数の格子孔７２が形成される。格子孔７２は、前後方向に沿って長手状に形成され、一方の側辺７０ｂから他方の側辺７０ｂに渡って形成される。格子孔７２を前後方向に沿って長手状に形成することで、電気泳動中に左右方向に移動するＤＮＡ断片を視認しやすくできる。
【００３９】
一対の側壁部７４は、蓋本体部７０の側辺７０ｂから垂下し、略平行に形成されて対向する。なお、側壁部７４は側辺７０ｂの全辺から垂下するように形成されるが、側辺７０ｂの一部から垂下してよく、側辺７０ｂの前方側からのみ垂下してもよい。側壁部７４の下端７４ａは第２スイッチ５８を押しこみ可能である。
【００４０】
前側壁部７６は、蓋本体部７０の前辺７０ａから垂下し、供給体１４の連結用段部４８に乗り上げるため側壁部７４より垂れる長さが短い。前側壁部７６は、側壁部７４の側縁７４ｂと同一面上に形成される。
【００４１】
図５は、泳動槽１２および供給体１４が接続した接続状態を説明するための図である。図５は泳動槽１２および供給体１４の接続部分を拡大して示し、第１スイッチ５６がオン状態となった接続状態を示す。
【００４２】
泳動槽１２および供給体１４が一体化された状態では、フランジ部３６が連結用段部４８の上面４８ａ上方の位置に張り出し、張出部３８が連結用段部４８および本体部４３の下面下方の位置に張り出す。端子形成面２０ａおよび受け口形成面５４の隙間に支持部３４が位置することで、端子２４の露出を抑えている。支持部３４の端子形成面２０ａからの突出高さは、端子形成面２０ａと受け口形成面５４の水平方向の離間距離と同じ長さに設定されてよい。
【００４３】
泳動槽１２および供給体１４が一体化された状態において、第２スイッチ５８がオン状態となっていないため、供給体１４は泳動槽１２に電力を供給しない。
【００４４】
図６は、連結状態の電気泳動装置１０を説明するための図である。図６は、図５に示す一体化された泳動槽１２および供給体１４に対して、蓋体１６により泳動槽１２の開口２２を閉じた状態である。連結状態の電気泳動装置１０は、泳動槽１２と供給体１４が一体化されて、かつ蓋体１６が開口２２を閉じた状態をいう。つまり、連結状態の電気泳動装置１０では、第１スイッチ５６および第２スイッチ５８がオン状態になる。
【００４５】
蓋体１６で開口２２を閉じることで、蓋体１６の側壁部７４の下端７４ａが第２スイッチ５８を下方に押し、第２スイッチ５８がオン状態になり、供給体１４が泳動槽１２に給電可能になる。蓋体１６を泳動槽１２から外すと、第２スイッチ５８が上方の初期位置に戻り、オフ状態になる。側壁部７４が連結用段部４８の側面４８ｂに対向するように張り出すことで、蓋体１６が第２スイッチ５８を押すことができる。
【００４６】
一対の側壁部７４は、連結状態において、泳動槽１２側から供給体１４側に向かって受け口形成面５４の両方の側辺５４ａの位置より供給体１４側に張り出す。側壁部７４の前方側の側縁７４ｂは、水平方向において、受け口形成面５４より供給体１４側に位置し、側面４８ｂの側方に張り出す。これにより、蓋体１６の側壁部７４により、端子形成面２０ａと受け口形成面５４との隙間を覆い、電気的接続部分である端子２４および受け口５０を覆うことで、手指や身につけた装飾品が端子形成面２０ａと受け口形成面５４との隙間に入り込む可能性を低減できる。
【００４７】
蓋本体部７０は、連結状態において、泳動槽１２側から供給体１４側に向かって受け口形成面５４の上辺５４ｂの位置より供給体１４側に張り出す。蓋本体部７０の前辺７０ａは供給体１４側に張り出して連結用段部４８の上面４８ａを覆い、前側壁部７６は、泳動槽１２のフランジ部３６と本体部４３の前面４３ａとの隙間に入りこむ。これにより、泳動槽１２と供給体１４の上方の隙間を覆うことができる。また、連結用段部４８を段状に形成することで蓋本体部７０と操作パネル４０をほぼ同じ高さにできる。
【００４８】
このように、蓋体１６が供給体１４の連結用段部４８の上面４８ａおよび側面４８ｂまで張り出すことで、泳動槽１２と供給体１４の隙間を覆うことができ、手指等がその隙間に入り込む可能性を低減でき、感電を防止する。
【００４９】
図７は、蓋体１６により泳動槽１２の開口２２を閉じた状態を説明するための図であり、泳動槽１２および蓋体１６の前方側を斜視図で示す。蓋体１６が開口２２を閉じた状態では、泳動槽１２の前方のフランジ部３６が蓋本体部７０および前側壁部７６に覆われた状態となる。
【００５０】
一対の側壁部７４は、泳動槽１２の端子形成面２０ａを挟んで対向する。側壁部７４の前方の側縁７４ｂは前後方向において、端子２４の先端とほぼ同じ位置になるように設けられる。また、側壁部７４の下端７４ａは、端子２４より下方に位置する。端子２４は側壁部７４の間に位置する。これにより、側壁部７４により端子２４を覆うことができる。
【００５１】
図８は、電気泳動装置１０の泳動槽１２と供給体１４の連結を外す方法を説明するための図である。泳動槽１２内の試料に所望の設定時間給電させると、試料に紫外線を当てるため、試料を紫外線装置に移動する必要がある。この場合、ユーザは供給体１４から泳動槽１２を外すことで、泳動槽１２に試料を入れたまま紫外線装置に移動でき、紫外線を照射後、泳動槽１２を供給体１４に連結することで、さらに電気泳動をすることができる。なお、紫外線装置にて泳動槽１２内の試料に紫外線を照射する際、蓋体１６を外しても外さなくてもよい。
【００５２】
ユーザは、一方の手で泳動槽１２を押さえて、開口２２から緩衝液がこぼれないようにする。他方の手で供給体１４の取っ手４２を把持し、供給体１４を回転させる。具体的に、ユーザは、取っ手４２を上方に持ち上げるようにして、供給体１４の前面４３ａを蓋本体部７０の前辺７０ａに押し当て、供給体１４を回転させる。これにより、受け口形成面５４が端子形成面２０ａから離れ、受け口５０が端子２４から外れて連結が外れる。
【００５３】
連結が外れると端子形成面２０ａに押されていた第１スイッチ５６が初期位置に戻り、第１スイッチ５６がオフ状態となる。また、蓋体１６が供給体１４から離れることで第２スイッチ５８が初期位置に戻り、第２スイッチ５８がオフ状態となる。このように、供給体１４を回転させれば、泳動槽１２と供給体１４の連結を容易に外すことができる。
【００５４】
図９は、供給体１４の部分拡大図である。また、図１０は、泳動槽１２の部分拡大図である。図９は供給体１４の受け口５０を主に示し、図１０は泳動槽１２の第１端子２４ａを主に示す。
【００５５】
図９に示すように受け口５０は上下方向に長手状に形成され、図１０に示すように第１端子２４ａは先端が円弧状に丸く形成されている。また、第１端子２４ａは上下方向に沿って平らに配置される。これにより、図８に示すように供給体１４を回転させる際、端子２４が受け口５０の下部に引っ掛かることを抑え、連結を外れやすくなるように構成される。
【００５６】
図９に示すように、受け口形成部として機能する連結用段部４８の上面４８ａに被係合部６２が凹状に形成される。また、図１０に示すように、フランジ部３６の下面に係合部３２ａが凸状に形成される。図５に示すように、フランジ部３６は、連結状態において、連結用段部４８の上面４８ａに乗りかかり、係合部３２ａが被係合部６２に入り込んで係合する。係合部３２ａおよび被係合部６２は、連結状態において係合して、泳動槽１２と供給体１４が水平方向に離れることを制限する。これにより、泳動槽１２および供給体１４の連結状態が水平方向に外れにくくでき、例えば受け口５０を大きく開口させて端子２４の挿入を容易にできる。また、端子２４と受け口５０で泳動槽１２および供給体１４の機械的連結をする必要がなくなり、端子２４の突出量を小さく構成することも可能になる。
【００５７】
係合部３２ａおよび被係合部６２の係合は、上下方向に離せば容易に外れるため、図８に示すように供給体１４を回転させることで、大きな力を必要とせず容易に外すことができる。なお、係合部３２ａを凹状に形成して被係合部６２を凸状に形成してよく、係合部３２ａおよび被係合部６２をともに凸状に形成して互いに係合するように構成してよい。
【００５８】
図１１は、電極線カバー３２を説明するための図であり、泳動槽１２の部分拡大図である。図１２（ａ）および図１２（ｂ）は、電極線カバー３２の斜視図である。
【００５９】
電極線カバー３２は、端子２４と電極部２８を半田付けにより接続して電極部２８を配線したあとに、導電部分が露出しないように泳動槽１２に取り付けられる。
【００６０】
電極線カバー３２の第１溝部３２ｂは、フランジ部３６の上面側の端子２４および電極部２８を覆い、第２溝部３２ｃは槽本体部２０内側に配線された電極部２８を電極線支持部３０まで覆う。第１溝部３２ｂおよび第２溝部３２ｃは間に形成された筒部３２ｆにより連通して、電極部２８を配線することができる。
【００６１】
第１溝部３２ｂはフランジ部３６に嵌合して、電極線カバー３２を泳動槽１２に固定する。第１溝部３２ｂの外側面に係合部３２ａが形成される。これにより、係合部３２ａを前方に張り出した位置にて凸状に形成できる。
【００６２】
第２溝部３２ｃの下端３２ｄは、電極線支持部３０に当接または近接する。第２溝部３２ｃにより、電極部２８の露出を抑え、毛細管現象により緩衝液が線状の電極部２８を伝って上昇して漏れたり、蒸気化した緩衝液が電極部２８の周辺で液化して毛細管現象により電極部２８を伝って漏れたりすることを抑えることができる。
【００６３】
本発明は上述の実施形態に限定されるものではなく、当業者の知識に基づいて各種の設計変更等の変形を実施形態に対して加えることも可能であり、そのような変形が加えられた実施形態も本発明の範囲に含まれうる。
【００６４】
例えば、実施形態では第１スイッチ５６を端子形成面２０ａにより押す態様を示したがこの態様に限られない。端子形成面２０ａに第１スイッチ５６を押すための突起を形成してもよい。いずれにしても泳動槽１２と供給体１４の連結を確認できればよい。
【００６５】
また、蓋体１６の側壁部７４の下端７４ａにより第２スイッチ５８を押す態様も、これに限られず、蓋体１６の別の箇所で第２スイッチ５８を押してもよい。いずれにしても蓋体１６が泳動槽１２の開口を閉じたことを確認できればよい。
【符号の説明】
【００６６】
１０  電気泳動装置、  １２  泳動槽、  １４  供給体、  １６  蓋体、  ２０  槽本体部、  ２０ａ  端子形成面、  ２２  開口、  ２４ａ  第１端子、  ２４ｂ  第２端子、  ２６  台座部、  ２８ａ  第１電極部、  ２８ｂ  第２電極部、  ３０  電極線支持部、  ３２  電極線カバー、  ３２ａ  係合部、  ３４  支持部、  ３６  フランジ部、  ３８  張出部、  ４０  操作パネル、  ４１  側面、  ４２  取っ手、  ４３  本体部、  ４３ａ  前面、  ４４  電源入力部、  ４６  電源スイッチ、  ４８  連結用段部、  ４８ａ  上面、  ４８ｂ  側面、  ５０  受け口、  ５２  窪み部、  ５４  受け口形成面、  ５４ａ  側辺、  ５４ｂ  上辺、  ５６  第１スイッチ、  ５８  第２スイッチ、  ６０  スイッチ孔、  ６２  被係合部、  ６４  冷却用孔、  ６６  台部、  ７０  蓋本体部、  ７０ａ  前辺、  ７０ｂ  側辺、  ７２  格子孔、  ７４  側壁部、  ７４ａ  下端、  ７４ｂ  側縁、  ７６  前側壁部。
【図１】
2016080512.tif 000003
【図２】
2016080512.tif 000004
【図３】
2016080512.tif 000005
【図４】
2016080512.tif 000006
【図５】
2016080512.tif 000007
【図６】
2016080512.tif 000008
【図７】
2016080512.tif 000009
【図８】
2016080512.tif 000010
【図９】
2016080512.tif 000011
【図１０】
2016080512.tif 000012
【図１１】
2016080512.tif 000013
【図１２】
2016080512.tif 000014